(57)【要約】    眼鏡のフレームに取り付ける光学レンズを作成し、眼鏡のフレームに取り付けた場合に、処方眼鏡の一対の光学レンズと整合するフィルタレンズを持つクリップオン・アクセサリーの為のフィルタレンズを作成するフライス盤。眼鏡のフレームは、所定の形状を有する二つの同じような半部で構成され、光学レンズが各々の半部に取り付けられる。ブリッジピースで結合されるアクセサリーのフィルタレンズは、フレームの半部と適合する形状を持ち、クリップオン・アクセサリーの外観は、眼鏡の外観と釣り合っている。
2005510380.tif 000002
【特許請求の範囲】
【請求項１】
一対のフィルタレンズを有するクリップオン・アクセサリーの１つのフィルタレンズであって、このクリップオン・アクセサリーを、２つの半部を持つ眼鏡に取り付けた場合にこの半部と整合する、この１つのフィルタレンズを作成するためにブランクを成形するための装置であって、前記眼鏡は、フィルタレンズの形状に一致する所定の形状を有し、
Ａ．少なくとも、成形されるブランクを支持する回転作業台、およびこの作業台をドライブするために第１のモータと、
Ｂ．回転可能なドリルビットを備えたドリルビット・ユニットと、
Ｃ．前記ドリルビットを支持し、ブランクに対して前記ドリルビットを垂直に昇降する昇降機と、この昇降機を駆動するための第２のモータと、
Ｄ．前記昇降機を支持し、水平にシフトさせ、ブランクに対して前記ドリルビットを水平方向に動かし、第３のモータによって駆動された往復台と、
Ｅ．前記第１、第２および第３のモータの動作を制御することにより前記ブランクを前記ドリルビットで成形して、所望の形状のフィルタレンズを形成するプロセッサと、
を有する装置。
【請求項２】
前記第１、第２のおよび第３のモータの各々は、一連の直流パルスによって、電力を供給されるステッピング・モータであり、その極性が、動きの大きさと方向を決定する請求項１に記載の装置。
【請求項３】
前記コンピュータは、パルスの数および極性を変化させることによって、ステッピング・モータを制御する請求項２に記載の装置。
【請求項４】
前記ドリルビットは、フィルタレンズ上にクリップを固定させるプラグを取り付ける為の穴部を穴あけし、これにより、前記クリップオン・アクセサリーを眼鏡に引掛けることのできる請求項１に記載の装置。
【請求項５】
ドリルビット・ユニットは、モータによって連続的に回転する請求項１に記載の装置。
【請求項６】
ドリルビット・ユニットは自立的であり、その駆動モータから切り離し可能である請求項５に記載の装置。
【請求項７】
フレームの所定の形状に関するデジタルデータは、コンピュータのデータベースにおいてデジタル的に保存され、このデジタルデータにより、コンピュータは、モータを制御して一致する形状を有するフィルタレンズを作成する請求項１に記載の装置。
【請求項８】
クリップオン・アクセサリーが引掛けられる眼鏡のフレームをスキャンするための電子的スキャナを更に含み、この電子的スキャナからコンピュータに眼鏡のフレームのデジタル画像が供給され、データベースに格納されるデータは、このデジタル画像から得られる請求項７に記載の装置。
【請求項９】
クリップオン・アクセサリーの為の一対のフィルタレンズが作成する為、各々ブランクが支持された一対の作業台を有する請求項１に記載の装置。
【請求項１０】
各々の作業台は、シャフトを介して前記第１のモータによって駆動され、作業台を設定された位置に保持するために前記シャフトに引張り力を与えるための手段を更に備えた請求項９に記載の装置。
【請求項１１】
前記引張り力を与えるための手段は、前記シャフトの周囲の渦巻ばねによって設けられ、このばねの１つの端部は、このシャフトに接続され、別の端部は固定部に接続されている請求項１０に記載の装置。
【請求項１２】
装置は、同じドリルビットによって、穿孔、切削、切欠き、および彫り込みができるように構成されている請求項１に記載の装置。
【請求項１３】
眼鏡のフレームへ取り付けられ、このフレームの半部に設けられる一対のレンズを、ブランクを成形して作成するための装置であって、前記フレームは所定の形状を有し、前記装置は、
Ａ．少なくとも、成形されるブランクを支持する回転作業台、およびこの作業台をドライブするために第１のモータと、
Ｂ．回転するドリルビットを備えたドリルビット・ユニットと、
Ｃ．前記ドリルビットを支持し、ブランクに対して前記ドリルビットを垂直に昇降する昇降機と、この昇降機を駆動するための第２のモータと、
Ｄ．前記昇降機を支持し、水平にシフトさせ、ブランクに対して前記ドリルビットを水平方向に動かし、第３のモータによって駆動された往復台と、
Ｅ．前記第１の、第２および第３のモータの動作を制御して、前記ブランクを前記ドリルビットで成形して、所望の形状のレンズを形成するプロセッサを備えた装置。
【請求項１４】
前記第１、第２のおよび第３のモータの各々は、一連の直流パルスによって、電力を供給されるステッピング・モータであり、その極性が、動きの大きさと方向を決定する請求項１３に記載の装置。
【請求項１５】
前記プロセッサは、パルスの数および極性を変化させることによって、ステッピング・モータを制御する請求項１３に記載の装置。
【請求項１６】
ドリルビット・ユニットは、モータによって連続的に回転する請求項１３に記載の装置。
【請求項１７】
ドリルビット・ユニットが自立的であり、その駆動モータから切り離し可能である請求項１６に記載の装置。
【請求項１８】
フレームの所定の形状に関するデジタルデータは、コンピュータのデータベースにおいてデジタル的に保存され、このデジタルデータから、コンピュータは、モータを制御して一致する形状を有するレンズを作成する請求項１３に記載の装置。
【請求項１９】
一対のレンズが作成する為に、各々ブランクが支持された一対の作業台を有する請求項１４に記載の装置。
【請求項２０】
各々の作業台は、シャフトを介して前記第１のモータによって駆動され、作業台を設定された位置に保持するために前記シャフトに引張り力を与えるための手段を更に備えた請求項１９に記載の装置。
【請求項２１】
前記引張り力を与えるための手段は、前記シャフトの周囲の渦巻ばねによって設けられ、このばねの１つの端部は、このシャフトに接続され、別の端部は固定部に接続されている請求項２０に記載の装置。
【請求項２２】
所定の形状の眼鏡に取り付けられるクリップオン・アクセサリーであって、
光学レンズが前記眼鏡の半部の各々に取り付けられており、前記クリップオン・アクセサリーは、前記眼鏡と整合する位置にフィルタレンズを配置するブリッジによって、互いに結合した一対のフィルタレンズから成っており、前記所定の形状と一致している形状を有するレンズを作成する為に、各々のフィルタレンズは、ブランクをコンピュータで制御されている装置によって研削することにより形成されており、眼鏡との相性が良く、その外観を損なわないクリップオン・アクセサリー。
【請求項２３】
対応する前記フィルタレンズの夫々に固定されるものは、フレームの対応する半部に引掛けるように適合された少なくとも一つのクリップである請求項２２に記載のアクセサリー。
【請求項２４】
前記フィルタレンズは、前記眼鏡に掛けられている場合に、前記眼鏡をサングラスに変化させるようなフィルタ特性を備えた請求項２２に記載のアクセサリー。
【請求項２５】
眼鏡の着用者の目に与える、可視光線のダメージを、フィルタレンズが除去するように適合された請求項２２に記載のアクセサリー。
【請求項２６】
フィルタレンズは、眼鏡の光学レンズと組み合わせるときに、複合レンズを提供する光学的性質を有する請求項２２に記載のアクセサリー。
【発明の詳細な説明】
【技術分野】
【０００１】
この発明は、一般に、眼鏡のためのレンズの作成および一対の光学レンズを持った処方眼鏡のフレーム上へ掛けるクリップオン・アクセサリーの為のフィルタレンズの作成を行う装置に関し、このフィルタレンズは光学レンズと整合し、有害な光線からこの眼鏡の着用者を保護する。特に、本発明は、眼鏡のフレームと形状が一致するクリップオン・アクセサリーのためのフィルタレンズを作成するコンピュータ制御のフライス盤に関する。
【背景技術】
【０００２】
近視（近眼）か遠視（遠眼）、または他の視覚異常で苦しむ人は、テンプルを有するフレームに光学レンズ取り付けられた眼鏡を着用している。光学レンズは、着用者の視覚異常を修正するように設計されていて、通常、検眼士または眼科医によって処方される。
【０００３】
そのような人が、強い日光、溶接アークやレーザービーム器具からの光といった有害な光線にさらされる場合もある。着用者には、彼が受ける有害な光線の性質に依存するフィルタ特性を有するサングラスまたは他の光線防護眼鏡を必要となる。
【０００４】
処方眼鏡を着用している個人が、有害な光線から彼の目を保護するためにサングラスに切り換えるとき、これらのサングラスのフィルタレンズが彼の眼鏡の光学レンズと同じ矯正光学的性質を有する必要がある。しかしながら、サングラスを、その着用者の両目に合わせて調整する場合、その一対の処方には、少なくとも高価な処方眼鏡と同程度費用がかかる。従って、着用者は、これらの追加の費用を支払うことに気が進まないことがある。
【０００５】
処方サングラスを用いなくとも、処方眼鏡の着用者が、単に彼の眼鏡のフレーム上へクリップオン・アクセサリーを引掛けることによって、彼の眼鏡をサングラスにすることができる。このアクセサリーは、有害な光線を除去するために、眼鏡の光学レンズと整合する一対のフィルタレンズを備えている。
【０００６】
典型的なクリップオンは、処方された眼鏡のフレームにクリップ式で取り付けることができるという意味で、汎用のアクセサリーであり、しかもフレームの幾何学的な形状に依存しないものである。これは際立った特徴と言ってよいが、その理由は、「デザイナー」フレームの現代では、市場に出されている眼鏡は、非常に異なるスタイルをもっているからである。
【０００７】
更に一般的な使用の意欲をそぐ点として、汎用のクリップオン・アクセサリーの持つ不利な点は、クリップオン・アクセサリーの標準化されたデザインが、丸いフィルタレンズを含んでいるという点である。通常、このデザインは、このアクセサリーを引掛ける側の眼鏡のフレームデザインとは不適合である。眼鏡にその全体的な外観を与えるものは、眼鏡のフレームである。従って、もしフレームが台形対からなり、その上に装着したクリップオン・アクセサリーのフィルタレンズが円形であったなら、アクセサリーの外観は不調和で、魅力のないものとなる。
【０００８】
従って、クリップオン・アクセサリーは、処方眼鏡に取り付け可能と言ってもよいものの、より現実的には、クリップオン・アクセサリーは眼鏡とは不釣り合いで、美しくない言うべきであろう。
【０００９】
この不都合を取り除くために、国際公開第ＷＯ９５／０４６３４号パンフレットの「クリップオン・サングラスをカットするためのシステムおよびクリップオン・サングラス」（"Clip-on Sunglasses and System for Cutting Clip-on Sunglasses"）には、クリップオンを引掛ける眼鏡のフレームの半部と同じサイズと形状に、クリップオン・アクセサリーのフィルタレンズをカスタムカットする装置が開示されている。この目的のために、この装置は、複製される眼鏡のためのホルダーと、クリップオン輪郭をトレースし、このトレースに合わせて、クリップオンのカスタムカットを行うカッターおよびスタイラスを含む。
【００１０】
また、クリップオン・アクセサリーをカスタマイズする方法が、国際公開第ＷＯ９３／２４８５６号（１９９３）パンフレットに開示されている。この方法において、クリップオンのためのフィルタレンズの対は、特定の眼鏡の輪郭に一致させるべき周囲を有する。従来技術の中でも重要なのは、アンダーウッド（Underwood）に与えられた米国特許第５，５４６，１４０号であり、ここでは、クリップオン・サングラスをカスタムカットし、眼鏡と同じサイズと形状にトリミングする装置が開示されている。
【特許文献１】国際公開第ＷＯ９５／０４６３４号パンフレット
【特許文献２】国際公開第ＷＯ９３／２４８５６号パンフレット
【特許文献３】米国特許第５，５４６，１４０号明細書
【発明の開示】
【００１１】
前述の点に鑑みて、この発明の主要な目的は、クリップオン・アクセサリーを引掛ける眼鏡のフレームの半部と相補的な形状で合致する形状を持ったクリップオン・アクセサリーのためのフィルタレンズをブランクを削って作成するコンピュータ制御の装置を提供することである。
【００１２】
フィルタレンズとは、クリップオン・アクセサリーが引掛けられる眼鏡の光学レンズと共に用いられ、有害な光線からの着用者の目を保護するか、または彼の視界を改良するようなレンズのすべてをいう。従って、アクセサリーのフィルタレンズは、視界の修正のための複合レンズを形成するために、眼鏡の光学レンズと組み合わせられる光学レンズである。さらに、作成されるレンズは、眼鏡フレームに直接に取り付けられる処方レンズであってもよい。
【００１３】
本発明によるクリップオン・アクセサリーの明確な利点としては、以下のものが含まれる。
【００１４】
Ａ．クリップオン・アクセサリーのデザインは、クリップオンを引掛ける眼鏡のフレームと、完全に適合するので、眼鏡の魅力的なデザインは、アクセサリーによって損なわれることはない。これは、その眼鏡が有名なデザイナーによってデザインされた高価ものである時に、特に有効のあるものとなる。
【００１５】
Ｂ．この装置はコンピュータ制御であるので、アクセサリーを引掛ける眼鏡のフレームの半部の形状と正確に一致するクリップオン・アクセサリーの為のフィルタレンズを作成する。
【００１６】
Ｃ．クリップオン・アクセサリーの形状が、それを引掛ける眼鏡の形状と一致するので、特別な扱いを必要とせず、たやすく眼鏡のフレームに取り付けることができる。
【００１７】
Ｄ．クリップオン・アクセサリーを製造する費用が比較的低く、それを処方された眼鏡の着用者が、彼の眼鏡を、安価に同じ処方を有するサングラスに変えることを可能とする。
【００１８】
より詳しく述べれば、この発明の目的は、カットされるブランクをＸおよびＹ座標に沿ってシフトされるドリルビットに係合するように回転作業台の上に支持し、ブランクをカットして、所望の形状を有するフィルタレンズまたは処方レンズを作成するフライス盤を提供することである。このフライス盤では、ブランクが支持される作業台の回転運動およびブランクを成形するビットの移動は、コンピュータ制御され、ブランクに対して、所望の正確な形状を与える。
【００１９】
簡単に述べれば、これらの目的は、昇降機に取り付けられたドリルビット・ユニットのビットと係合するブランク・ワークピースが支持される回転作業台を備えたフライス盤によって達成される。垂直軸に沿ってドリルビットを上下に移動させる昇降機は、更に、水平な軌道に沿って左右に移動可能な往復台に載置され、水平軸に沿ってドリルビットを移動させる。
【００２０】
回転作業台、昇降機および往復台は、プロセッサによって制御され、段階的に動作するステッピング・モータによって駆動される。クリップオン・アクセサリーが引掛けられ、または、レンズが取り付けられる眼鏡の半部の形状に関するデータは、プロセッサのデータベースにデジタル的に格納されている。プロセッサは、回転させられているブランクに対して、正確にドリルビットの位置決めを行って、所望の形状を与える。
【発明を実施するための最良の形態】
【００２１】
クリップオン・アクセサリー:
図１は、着用者の目の視覚異常を修正するための一対の処方眼鏡を図で示し、有害な光線に対して目を保護する為に、これらの眼鏡に取り付けられる本発明のクリップオン・アクセサリーを示す。
【００２２】
この眼鏡は、ノーズピースＮＰで連結された左半部１０Ｌおよび右半部１０Ｒによって形づくられる金属またはプラスチックのフレーム１０を有する。光学レンズ１１Ｌおよび１１Ｒは、フレームの半部に取り付けられる。フレーム１０の半部１０Ｌおよび１０Ｒは、一般に台形の形状であり、丸い隅部を有する。半部１０Ｌおよび１０Ｒに取り付けられる光学レンズ１１Ｌおよび１１Ｒも、同じように成形される。テンプル１２Ｌおよび１２Ｒは、フレーム１０の半部１０Ｌおよび１０Ｒに、ヒンジ（ちょうつがい式）で接続される。
【００２３】
図１に１つの具体例としてのみ在来のフレーム１０が示されていることと、クリップオン・アクセサリー１３を付ける眼鏡の実際の形状がどんなものであれ、眼鏡の魅力がアクセサリーによって損なわれないために、クリップオン・アクセサリー１３の形状がフレーム１０のそれと実質的に一致しなければならないことに注意すべきである。
【００２４】
図１に示すように、あたかも手袋のように、コピーされた幾何学形状を持つ処方眼鏡のフレーム１０に適合するという意味において、クリップオン・アクセサリー１３は、カスタムメイドで作られる。このクリップオン・アクセサリー１３において、フィルタレンズ１４Ｌおよび１４Ｒの形状は、実質的に、眼鏡フレーム１０の相補的な半部１０Ｌおよび１０Ｒの形状に実質的に適合する。
【００２５】
従って、これらのフィルタレンズ１４Ｌおよび１４Ｒが眼鏡の光学レンズ１１Ｌおよび１１Ｒの上に設置するときに、それらは完全にフレーム１０の半部１０Ｌおよび１０Ｒを覆い、その間で形状およびサイズに何らのばらつきもない。従って、デザイナーが処方眼鏡のフレーム１０にどんなデザインを与えても、そのデザインはフレーム１０に取り付けられるクリップオン・アクセサリー１３によって確保される。
【００２６】
クリップオン・アクセサリー１３のフィルタレンズ１４Ｌおよび１４Ｒは、ステンレス鋼のような強度の高いしなやかな金属でできたブリッジピース１５によってブリッジされる。ブリッジピース１５は、フィルタレンズ１４Ｌおよび１４Ｒを眼鏡の光学レンズ１１Ｌおよび１１Ｒに整合するように位置決めする。
【００２７】
フィルタレンズ１４Ｌおよび１４Ｒは、例えばポリアクリル物質のような透明度と強度の高い合成プラスチックで製造される。このフィルタレンズ１４Ｌおよび１４Ｒは、着色されているか、所望のフィルタ特性を有するために処理を施されており、このクリップオン・アクセサリー１３の設計の通り、有害な光線を除去するか減衰させる。従って、クリップオン・アクセサリー１３が処方眼鏡をサングラスに変えることを目的とする場合、プラスチックのフィルタレンズ１４Ｌおよび１４Ｒには、曇りが入れるか着色がなされる。
【００２８】
可視光線が他の形（例えば、アーク溶接素子からまたはレーザービーム器具から放射している光）であれば、フィルタ特性は、これらの光にあったものでなければならない。または、フィルタレンズ１４Ｌおよび１４Ｒは光学的性質を有することができ、眼鏡の光学レンズ１１Ｌおよび１１Ｒと組み合わせるときに、それは光学レンズ１１Ｌおよび１１Ｒ単独によって提供される性質を越えて、視覚の修正効果を持つ複合レンズを提供することになる。この技術の当業者には、作成されるフィルタレンズ１４Ｌおよび１４Ｒがまた、眼鏡の光学レンズであってもよいことが理解されるであろう。
【００２９】
フライス盤:
図３および４において図で示されるフライス盤の目的は、コンピュータＣによる制御の下で、透明な合成のプラスチックのブランクを成形して、処方眼鏡レンズまたはクリップオン・アクセサリー１３のための一対のフィルタレンズを作成することである。
【００３０】
クリップオン・アクセサリー１３のためのブランクの成形は、成形結果としてのフィルタレンズ１４Ｌおよび１４Ｒに、クリップオン・アクセサリー１３を引掛ける眼鏡のフレーム１０の半部と実質的に同じ形状を与えるようなものでなければならず、カスタムメイドのクリップオン・アクセサリー１３のデザインは、眼鏡のデザインと適合するものでなければならない。しかしながら、光学レンズ１１Ｌおよび１１Ｒの形状に対するフィルタレンズ１４Ｌおよび１４Ｒの形状の整合が必須でない点に注意すべきであり、眼鏡に適当に保持される位置が存在する限り、フィルタレンズ１４Ｌおよび１４Ｒは所望の形状を持つことができる。
【００３１】
この装置は、加工されるブランクを支持する一対の回転作業台ユニット１８を備えている。これらのユニット１８は、垂直障壁１９に片持ちに支持され、互いに離れて、安定な固定位置に設けられている。各々のユニット１８は、ギアトレインボックス２１の上に取り付けられる回転作業台２０を備え、このギアトレインボックス２１のギアは、障壁１９の影に配置されているステッピング・モータ２２と、作業台を連結している。ステッピング・モータ２２のモータシャフト２３は、障壁１９のポートを通過して、歯車箱２１内のギア２４と係合し、歯車箱２１の出力シャフト２５は、その中心で作業台２０を接続する。
【００３２】
ステッピング・モータ２２は、一連の直流電圧パルスによって回転し、パルスの極性に応じて、時計回りか反時計回りの方向に、パルス当りにつき１単位角度だけモータシャフト２３を段階的に回転する。これらのパルスは、コンピュータ（プロセッサ）Ｃによってステッピング・モータ２２に与えられ、ステッピング・モータ２２に送られるパルス数および極性を制御することによって、正確に所望の角度位置に作業台２０およびブランクを配置することができる。
【００３３】
カットは、昇降機２８からアーム２７によって片持ちで支持されたドリルビット・ユニット２６によって実行される。図５に断面が示されているドリルビット・ユニット２６は、プラスチックをカットし成形することができ、そこに穴部を穿つことのできるドリルビット２９を備えている。それは、ドリルビット・ユニット２６に取り付けられた標準の直流モータ３０によって、高速走行速度で連続的に回転される。
【００３４】
この直流モータ３０は、ＡＣモータまたは空気タービンといった、他の種類のものでもよい。ドリルビット２９の回転速度は制御可能で、その役割に応じてセットされ、たとえば、研削のために使用する回転速度は、穿孔のためのもの等とは異なる。
【００３５】
本発明によるコンピュータ制御のフライス盤の独特な特徴は、そのドリルビット・ユニット２６が、研削すべきブランクの穿孔、切削、切欠き、および彫り込みができるということである。このような方法で、ブランクに、処方レンズを取り付けるか、フィルタレンズを引掛ける眼鏡のフレームと、正常に適合する所望の形状を与えることができる。
【００３６】
フィルタレンズ１４Ｌおよび１４Ｒは、また、穴部および切吹きを有することもでき、それによって、クリップ１６Ｌおよび１７Ｌ、１６Ｒおよび１７Ｒをその上に固定することができる。フィルタレンズ１４Ｌおよび１４Ｒの彫り込みによって、フィルタレンズ１４Ｌおよび１４Ｒによって形状が複製された眼鏡の商標名またはデザイナーの名前を彫り込みことが可能となる。これら全ては、全てのこれらの処理モードのための１つのドリルビットを使用して行うことができる。
【００３７】
昇降機２８は、本装置の前面壁１９に平行に配置され、本装置の前面壁１９に一対の水平梁３６Ｂおよび３７Ｂにより接合された一対の垂直な柱３６および３７の間に橋渡された水平軌道３５上で左右に移動可能な往復台３８上に載せられている。昇降機２８は、往復台３８の前面に取り付けられている垂直のラック３２に沿って、上下に移動する。
【００３８】
従って、昇降機２８は、上下に移動するにつれて、それに取り付けられているドリルビット・ユニット２６のドリルビット２９を、垂直のＹ軸に沿ってシフトし、作業台２０上のブランクに近づけたり遠避けたりする。
【００３９】
昇降機２８は、コンピュータ（プロセッサ）Ｃからの一連の直流パルスにより、電力を供給され、コンピュータ制御されたステッピング・モータ３３によって駆動される。ステッピング・モータ３３に与えられたパルスの数および極性は、昇降機２８がＹ方向にシフトされる方向および大きさを決定する。
【００４０】
往復台３８は、垂直の柱３７に取り付けられているステッピング・モータ３９によって、軌道３５の左右に駆動される。そして、モータ３９は、往復台３８の端のねじ穴を通過する送りネジ４０を回す。ステッピング・モータ３９は、電力を供給されて、コンピュータ（プロセッサ）Ｃにより与えられる直流パルス列によって、電力を供給され、制御される。
【００４１】
このようにして、コンピュータ（プロセッサ）Ｃによって、次の３つの位置が制御される。
【００４２】
Ｉ．ステッピング・モータ３３によって駆動される昇降機２８により決定される、作業台２０上のブランクに対するドリルビット２９の垂直位置。
【００４３】
ＩＩ．ステッピング・モータ３９によって駆動される往復台３８により決定される、ブランクに対するドリルビット２９の水平位置。
【００４４】
ＩＩＩ．ステッピング・モータ２２によって駆動される作業台２０により決定される、ドリルビット２９に対するブランクの角度位置。
【００４５】
三つのステッピング・モータ３３，３９，２２の各々に動力パルス列を与えるコンピュータ（プロセッサ）Ｃは、各々のパルス列の数と極性を変化させ、各々の動作を調整し、ドリルビット２９によって作業中のブランクの成形を行い、所望の形状のレンズを生成する。また、上記したように、コンピュータ（プロセッサ）Ｃは、ドリルビット２９の回転を、特に、様々な回転速度で実行することができる。
【００４６】
レンズの形状が、光学レンズが取り付けられる眼鏡のフレーム１０の半部１０Ｌおよび１０Ｒの形状と一致させる為に、コンピュータ（プロセッサ）Ｃに、この形状を知らせる必要がある。この情報は、電子的スキャナＳによって、コンピュータ（プロセッサ）Ｃに供給される。
【００４７】
電子的スキャナＳは、光学レンズまたはクリップオン・アクセサリー１３に対して、そのフレーム形状が再生される処方眼鏡をスキャナし、そのデジタル画像を生成する。デジタル画像は、コンピュータ（プロセッサ）Ｃによって処理され、それによってフレーム１０の所定の形状に関するデータが得られる。「所定の」形状の意味は、「デザイナーによって与えられた」フレームの形状という意味である。このデータは、コンピュータ（プロセッサ）Ｃのプロセッサメモリのデータベースに格納されており、それによって、このプロセッサメモリは、装置の三つのステッピング・モータ３３，３９，２２がブランクに所望の形状を与えるように、指示することが可能となる。
【００４８】
フレーム形状にマッチしたクリップオン・アクセサリー１３を作成する為に、着用者によって持ち込まれる処方眼鏡が何であれ、フレーム形状をスキャンするスキャナに代わるものとして、現在市場に出されている様々なフレームの形状（全体で少なくとも５００）を、プロセッサメモリのデータベースに格納しておくこともできる。個人が眼鏡を持ち込んでクリップオン・アクセサリー１３を希望した場合、クリップオン・アクセサリー１３のサービス担当者は、その眼鏡のフレームを見て、そのスタイルを確認して、適合するデータをデータベースから抽出することができる。
【００４９】
正しいデータを選んだかどうかを確認するために、作業者はコンピュータ（プロセッサ）Ｃに接続されたモニタ画面に、選択されたフレーム形状の画像を表示し、クリップオン・アクセサリー１３を希望する眼鏡のフレーム１０と比較することができる。
【００５０】
本発明によるコンピュータ（プロセッサ）Ｃで制御される装置において、スキャナＳによって抽出された眼鏡のフレーム１０の形状に関するデジタルデータは、コンピュータ（プロセッサ）Ｃのデータベースに格納される。このデータは、成形されるブランクが、フレーム１０の形状と一致するレンズとなるように、フライス盤に指示するために用いられる。レンズに穴あけし、切欠きをつける必要がある場合、例えば、レンズをフレーム１０に取り付けるためにクリップオン・アクセサリーに１３固定用のクリップ部を設けるために、少なくとも、コンピュータ（プロセッサ）Ｃには、フライス盤によって適当な位置に穴あけするソフトウェアが備えられている。
【００５１】
作業台：
ステッピング・モータによって駆動されるフライス盤の作業台に支えられているブランク・ワークピースを、正確に位置決めする為に、この回転作業台が、特定の角度位置にシフトされ、その位置に保持することが重要である。「遊び（play）」（設定された位置から離れる自由度）が駆動機構にあると、この緩みが装置の成形精度に悪影響を与える。
【００５２】
この遊びを排除するために、図６に示される作業台４５は、反時計回りに段階的に回転するステッピング・モータによって駆動されるシャフト４６に取り付けられている。
【００５３】
シャフト４６の周囲には、ばね用金属で形成された渦巻ばね４７が設けられ、この渦巻ばね４７の内側端部は、このシャフト４６に接続され、外側端部は本機械において固定された胴体４８に接続されている。このように、シャフト４６は、ステッピング・モータによって一ステップだけ回されるたびに、渦巻ばね４７によってしっかりと締め付けられる。
【００５４】
従って、このシャフト４６には、ばねによって、回転作業台４５を設定された位置に保持し、そこからずれるのを防止する引張り力が与えられている。ステッピング・モータが更に回転して作業台４５を段階的に進めると、渦巻ばね４７が更にしっかりと締められ、限界まで締められると、それ以上は締められなくなる。
【００５５】
完全に締められた渦巻ばね４７を開放して、作業台４５の遊びを予防するという機能を回復するために、リング４９が、シャフト４６上に固定的に取り付けられている。ロッド５２が、このリング４９から水平に突出しており、シャフト４６の周囲で自由に揺動することができるポインターアーム５０の端部に接続されている垂直フィンガー５３に接続されている。
【００５６】
渦巻ばね４７が完全に締められ、シャフト４６の動きが止まった段階で起動するばね解放メカニズムのアクチュエータ５１に対して、ポインターアーム５０が当接するまで、ばね４７の締めつけに伴って、ポインターアーム５０が、反時計回りに揺動する。結果としてばね４７の開放がなされ、作業台４５の動作を再開することを可能となる。
【００５７】
本発明のフライス盤の好ましい実施形態が示されたが、本発明の精神を逸脱しない範囲であれば、種々の変更が可能である。
【００５８】
このように、一対の光学レンズを有する処方眼鏡が「縁なし」であり、それゆえ、別個のフレームを有しない場合は、一対のフィルタレンズ１４Ｌおよび１４Ｒを有するクリップオン・アクセサリー１３は、これら光学レンズの縁上へ引掛けることになる。これらの縁は、効果としては眼鏡のフレームとして機能し、これらのフレーミング縁の形状はクリップオン・アクセサリー１３のフィルタレンズ１４Ｌおよび１４Ｒと一致しなければならない。
【図面の簡単な説明】
【００５９】
【図１】処方眼鏡上へ掛けるのに適している本発明によるクリップオン・アクセサリーを示す図
【図２】クリップオン・アクセサリーに含まれるフィルタレンズのうちの１つを別に示す図
【図３】クリップオン・アクセサリーの処方レンズまたはフィルタレンズを作成するためにブランクをカットするための本発明によるフライス盤の斜視図
【図４】図３に示される装置の横断面図
【図５】本装置に含まれるドリルビット・ユニットの好ましい実施形態の縦断面図
【図６】本装置に含まれる作業台の好ましい実施形態の斜視図
【図１】
2005510380.tif 000003
【図２】
2005510380.tif 000004
【図３】
2005510380.tif 000005
【図４】
2005510380.tif 000006
【図５】
2005510380.tif 000007
【図６】
2005510380.tif 000008
【手続補正書】
【提出日】平成16年2月2日(2004.2.2)
【手続補正１】
【補正対象書類名】特許請求の範囲
【補正対象項目名】全文
【補正方法】変更
【補正の内容】
【特許請求の範囲】
【請求項１】
一対のフィルタレンズを有するクリップオン・アクセサリーの１つのフィルタレンズであって、このアクセサリーを、２つの半部を持つ眼鏡に取り付けた場合にこの半部と整合する、この１つのフィルタレンズを作成するためにブランクを成形するための装置であって、 前記眼鏡は、フィルタレンズの形状に一致する所定の形状を有し、
Ａ．一対の作業台であって、夫々、成形されるブランクを支持し、この作業台をドライブするための第１のモータを備えた一対の作業台と、
Ｂ．回転可能なドリルビットを備えたドリルビット・ユニットと、
Ｃ．前記ドリルビットを支持し、ブランクに対して前記ドリルビットを垂直に昇降する昇降機と、この昇降機を駆動するための第２のモータと、
Ｄ．前記昇降機を支持し、水平にシフトさせ、ブランクに対して前記ドリルビットを水平方向に動かし、第３のモータによって駆動された往復台と、
Ｅ．前記第１、第２および第３のモータの動作を制御することにより前記ブランクを前記ドリルビットで成形して、所望の形状のフィルタレンズを形成するプロセッサと、
から成る装置。
【請求項２】
前記第１、第２のおよび第３のモータの各々は、一連の直流パルスによって、電力を供給されるステッピング・モータであり、その極性が、動きの大きさと方向を決定する請求項１に記載の装置。
【請求項３】
前記コンピュータは、パルスの数および極性を変化させることによって、ステッピング・モータを制御する請求項２に記載の装置。
【請求項４】
前記ドリルビットは、フィルタレンズ上にクリップを固定させるプラグを取り付ける為の穴部を穴あけし、これにより、アクセサリーを眼鏡に引掛けることのできる請求項１に記載の装置。
【請求項５】
ドリルビット・ユニットは、モータによって連続的に回転する請求項１に記載の装置。
【請求項６】
ドリルビット・ユニットは自立的であり、その駆動モータから切り離し可能である請求項５に記載の装置。
【請求項７】
フレームの所定の形状に関するデジタルデータはコンピュータのデータベースにおいてデジタル的に保存され、このデジタルデータから、コンピュータは、モータを制御して一致する形状を有するフィルタレンズを作成する請求項１に記載の装置。
【請求項８】
クリップオンを引掛ける眼鏡のフレームをスキャンするために電子的スキャナを更に含み、このスキャナからコンピュータにフレームのデジタル画像が供給され、データベースに格納されるデータは、このデジタル画像から得られる請求項７に記載の装置。
【請求項９】
各々の作業台は、シャフトを介して自身の前記第１のモータによって駆動され、作業台を設定された位置に保持するために前記シャフトに引張り力を与えるための手段を更に備えた請求項１に記載の装置。
【請求項１０】
前記引張り力を与えるための手段は、前記シャフトの周囲の渦巻ばねによって設けられ、このばねの１つの端部は、このシャフトに接続され、別の端部は固定部に接続されている請求項９に記載の装置。
【請求項１１】
装置は、同じドリルビットによって、穿孔、切削、切欠き、および彫り込みができる請求項１に記載の装置。
【請求項１２】
眼鏡のフレームへ取り付けられ、このフレームの半部に設けられる一対のレンズを、ブランクを成形して作成するための装置であって、前記フレームは所定の形状を有し、前記装置は、
Ａ．一対の作業台であって、夫々、成形されるブランクを支持し、この作業台をドライブするための第１のモータを備えた一対の作業台と、
Ｂ．回転するドリルビットを備えたドリルビット・ユニットと、
Ｃ．前記ドリルビットを支持し、各作業台上のブランクに対して前記ドリルビットを垂直に昇降する昇降機と、この昇降機を駆動するための第２のモータと、
Ｄ．前記昇降機を支持し、水平にシフトさせ、ブランクに対して前記ドリルビットを水平方向に動かし、第３のモータによって駆動された往復台と、
Ｅ．前記第１の、第２および第３のモータの動作を制御して、前記ブランクを前記ドリルビットで成形して、所望の形状のレンズを形成するプロセッサを備えた装置。
【請求項１３】
前記第１、第２のおよび第３のモータの各々は、一連の直流パルスによって、電力を供給されるステッピング・モータであり、その極性が、動きの大きさと方向を決定する請求項１３に記載の装置。
【請求項１４】
前記プロセッサは、パルスの数および極性を変化させることによって、ステッピング・モータを制御する請求項１３に記載の装置。
【請求項１５】
ドリルビット・ユニットは、モータによって連続的に回転する請求項１３に記載の装置。
【請求項１６】
ドリルビット・ユニットが自立的であり、その駆動モータから切り離し可能である請求項１６に記載の装置。
【請求項１７】
フレームの所定の形状に関するデジタルデータはコンピュータのデータベースにおいてデジタル的に保存され、このデジタルデータから、コンピュータは、モータを制御して一致する形状を有するレンズを作成する請求項１３に記載の装置。
【請求項１８】
各々の作業台は、シャフトを介して自身の前記第１のモータによって駆動され、作業台を設定された位置に保持するために前記シャフトに引張り力を与えるための手段を更に備えた請求項１９に記載の装置。
【請求項１９】
前記引張り力を与えるための手段は、前記シャフトの周囲の渦巻ばねによって設けられ、このばねの１つの端部は、このシャフトに接続され、別の端部は固定部に接続されている請求項２０に記載の装置。
【国際調査報告】
2005510380.tif 000009
2005510380.tif 000010
2005510380.tif 000011
2005510380.tif 000012
2005510380.tif 000013